(57)【要約】      （修正有）【課題】骨壷収納袋を、木箱を必要としないものでありながら、型崩れのない高級感を備えたものとし、かつ骨壷を収納し易く、収納した後に骨壷の熱が外布に伝わり難く、持ち運びにおいても安定するようにした骨壺収納袋を提供する。【解決手段】底部３と筒状部４と延長部５とを備えた骨壷収納袋であって、底部および筒状部は厚手の外布７、薄地の内布６、断熱性のある中布を用い、延長部は外布および内布を用いて形成し、底部には平板状の底板を備える。さらに、筒状部には筒状部周面に一組の直線状の開口部１１が形成されるとともに、該開口部を開閉するためのファスナー１２を備え、延長部には該延長部を緊縛するための巾着紐９が挿通される紐挿通部とを備えて構成し、前記巾着紐を解き、かつファスナーを開けることで延長部および筒状部を開いて骨壷を底部に載置するように構成する。【選択図】図３
0003166403.tif 000002
【実用新案登録請求の範囲】
【請求項１】
遺骨を納めた骨壷を収納するための収納袋であって、該収納袋は、骨壷の外形に合わせて有底筒状になった底部および筒状部と、該筒状部から上方に延長する延長部とを備えて構成するにあたり、
底部は、金襴地または錦金襴地を単独で、またはこれら金襴地と人口レザー地、金彩加工地、プリント地のなかから少なくとも一つを選択して形成された厚手の外布と、薄手繊維からなる内布と、該内布と外布とのあいだに配され、内布にキルティング加工される断熱性のある中布と、これら外布および中布とのあいだに内装される平板状の底板を備え、
筒状部は、金襴地または錦金襴地を単独で、またはこれら金襴地と人口レザー地、金彩加工地、プリント地のなかから少なくとも一つを選択して形成された厚手の外布と、薄手繊維からなる内布と、該内布と外布とのあいだに配され、内布にキルティング加工される断熱性のある中布と、筒状部周面の互いに対向する位置に位置して上下方向に形成される一組の直線状の開口部と、該開口部を開閉するためのファスナーとを備え、
延長部は、金襴地または錦金襴地を単独で、またはこれら金襴地と人口レザー地、金彩加工地、プリント地のなかから少なくとも一つを選択して形成された厚手の外布と、薄手繊維からなる内布と、前記筒状部開口部から延長されて延長部上端にまで至る延長開口部と、延長部上下方向中間部に位置していて延長部を緊縛して閉じるための巾着紐を挿通するための紐挿通部とを備えて構成されていて、
前記巾着紐の緊縛を解き、かつファスナーの何れか一方又は両方を開けることで延長部および筒状部を開いて骨壷を底部に載置できるように構成されていることを特徴とする骨壷収納袋。
【考案の詳細な説明】
【技術分野】
【０００１】
本考案は、遺骨を収めた骨壷を収納するための遺骨収納袋の技術分野に属するものである。
【背景技術】
【０００２】
一般に、遺骨は骨壷に収められ、この状態で墓に納骨されることが多いが、骨壷は、仏壇に安置するときや移動するときなどにおいては、骨壷を白木の木箱に収めた状態にすることが多い。このとき、木箱が単に白木のままでは粗末感があって故人に対して礼に欠け、そこで木箱をさらに骨覆いで覆うことで高級感をかもし出すようにしていた（例えば特許文献１〜３参照）。
【０００３】
ところが前記従来のものは、骨壷を収納するための木箱と、該木箱を収納するための骨覆いとが必要であって、必要とする製品数が多くなるだけでなく、コスト的にも高価になりがちであった。これに対し、木箱の表面に装飾布を直接貼り付けたものも提唱されているが、見た目のボリューム感や高級感に乏しく、故人に対して礼を欠く思いが生じるという問題がある。そこで骨壷を直接収容袋に収めるようにすることが提唱されるが、骨壷は、高温で処理された遺骨を納める関係上、遺骨を納めた当初は高温になり、骨壷を収納袋に直接収納した場合、該収納袋が熱くなって持てなくなり、収納直後の移動に支障を来たすものであった。
【０００４】
そこで、特許文献４で提唱されるもののように、骨壷の収納袋を骨壷の外形に合わせた有底筒状とし、底部と側面の筒状部とを厚手の外布で覆い、内側を薄手繊維からなる内布とし、該外布と内布との間には断熱性のある中布を挟んで重ね合わせるようにキルティング加工して、該断熱性のある中布によって骨壷の熱が外布に伝わらないようにしたものがある。このものでは、納められた遺骨によって熱くなった骨壷を収納しても収納袋の外側が熱くなることはなく、収納袋が熱くて持てなくなるという不都合は生じないものであった。
【特許文献１】特開昭６１−２３４８５６号公報
【特許文献２】実開昭６４−５４３３号公報
【特許文献３】実開平１−１０１５２４号公報
【特許文献４】実用新案登録第３１４０６０２号
【考案の開示】
【考案が解決しようとする課題】
【０００５】
このものは、断熱性のある中布を外布と内布とのあいだに挟んで骨壷の熱が外布に伝わらないようにした、という点では優れたものであった。しかしながら、骨壷収納袋の筒状部は骨壷を丁度内嵌する内径寸法で縫製されているため、骨壷を収納する際には、骨壷収納袋の筒状部を底部から垂直に立てた状態にし、上方の開口から骨壷を底部に向けて降ろすようにして収納していくことになるが、骨壷収納袋は布で出来ているために骨壷の底面が骨壷収納袋の底部に到達するまでに骨壷収納袋の形が崩れてしまったりすることがあって、作業しづらく利便性にかけるという欠点があった。しかもこの作業は骨壷が熱くなっている場合は尚一層難しく、骨壷を骨壷収納袋に収納するという厳かな行為においてスムーズさに欠け、この点で好ましいものではなかった。さらにまた底部が柔らかい布で形成されているため、骨壷が骨壷収納袋に収納された状態で安定しないという問題もあり、これらに本考案の解決すべき課題がある。
【課題を解決するための手段】
【０００６】
本考案は、上記の如き実情に鑑みこれらの課題を解決することを目的として創作されたものであって、請求項１の考案は、遺骨を納めた骨壷を収納するための収納袋であって、該収納袋は、骨壷の外形に合わせて有底筒状になった底部および筒状部と、該筒状部から上方に延長する延長部とを備えて構成するにあたり、底部は、金襴地または錦金襴地を単独で、またはこれら金襴地と人口レザー地、金彩加工地、プリント地のなかから少なくとも一つを選択して形成された厚手の外布と、薄手繊維からなる内布と、該内布と外布とのあいだに配され、内布にキルティング加工される断熱性のある中布と、これら外布および中布とのあいだに内装される平板状の底板を備え、筒状部は、金襴地または錦金襴地を単独で、またはこれら金襴地と人口レザー地、金彩加工地、プリント地のなかから少なくとも一つを選択して形成された厚手の外布と、薄手繊維からなる内布と、該内布と外布とのあいだに配され、内布にキルティング加工される断熱性のある中布と、筒状部周面の互いに対向する位置に位置して上下方向に形成される一組の直線状の開口部と、該開口部を開閉するためのファスナーとを備え、延長部は、金襴地または錦金襴地を単独で、またはこれら金襴地と人口レザー地、金彩加工地、プリント地のなかから少なくとも一つを選択して形成された厚手の外布と、薄手繊維からなる内布と、前記筒状部開口部から延長されて延長部上端にまで至る延長開口部と、延長部上下方向中間部に位置していて延長部を緊縛して閉じるための巾着紐を挿通するための紐挿通部とを備えて構成されていて、前記巾着紐の緊縛を解き、かつファスナーの何れか一方又は両方を開けることで延長部および筒状部を開いて骨壷を底部に載置できるように構成されていることを特徴とする骨壷収納袋である。
【考案の効果】
【０００７】
請求項１の考案とすることにより、骨壷収納袋は、木箱を不要とするものでありながら厚手の外布を用いているため型崩れすることがなく、しかも外布は金襴地または錦金襴地が用いられているため高級感と重量感とが備わったものになって故人に対して礼を欠くことがなく偲ぶものになる。そのうえ骨壷が直接当たる底部および筒状部には断熱性がある中布が設けられているため、遺骨を入れた直後の骨壷を収納したとしたも、遺骨の熱が外布まで伝わって熱くなり、持てなくなってしまうようなことを回避でき、迅速な移動が可能になる。さらに筒状部には延長部上端にまで至る一組の開口部が形成され、該開口部にはファスナーが設けられて該開口部を開閉することができるため、骨壷を収納する際にはファスナーを開いて骨壷収納袋に入れればよく、骨壷の収納し易い骨壷収納袋とすることが出来る。また底部には平板状の底板が設けられているため、骨壷収納袋に収納された状態の骨壷は底板の上に載置されることになって持ち運び時に骨壷が安定することになる。
【図面の簡単な説明】
【０００８】
【図１】骨壷を収納して延長部を緊縛した状態を示す収納袋の斜視図である。
【図２】骨壷を収納して延長部を緊縛する前の状態を示す収納袋を前方から見た斜視図である。
【図３】骨壷を収納して延長部を緊縛する前の状態を示す収納袋を側方から見た斜視図である。
【図４】収納袋の断面図である。
【考案を実施するための最良の形態】
【０００９】
本考案の実施の形態について、図面を用いて説明する。図面において、１は骨壷であって、該骨壷１は有底円筒状の本体１ａと、該本体１ａの上端開口を覆蓋するための蓋体１ｂとにより構成されている。
【００１０】
２は骨壷１を収納するための収納袋であって、該収納袋２は、前記骨壷１の外形寸法に合わせた底部３、筒状をした筒状部４を用いて構成されているが、丈については骨壷１の高さよりも長く延した延長部５を有している。筒状部４は内布６、外布７、そして中布８を用いて構成されるが、延長部５は内布６と外布７のみで中布８を有しないもので構成されている。底部３は筒状部４と同様に内布６、中布８、外布７を用いて構成されるが、該底部３には平板状の底板１０が外布７と中布８とに挟持されるようにして設けられている。
【００１１】
この場合において、本実施の形態のものは外布７は厚手の布であって装飾模様が施された金襴地７ａと厚手の人口レザー地７ｂとを用いて形成されているが、本実施の形態では、外布７は、底部３全体と筒状部４の下半部とが人口レザー地７ｂであり、そして筒状部４の上半部と延長部５全体が金襴地７ａによって形成されている。
また内布６は木綿や化繊等の繊維から成る薄手の布であって、底部３、筒状部４、延長部５の全体に設けられている。
さらに中布８は、本実施の形態では骨壷１が直接接触する底部３と筒状部４とに設けられ、延長部５には設けていないものであるが、断熱性がある厚手の綿布を採用している。そして中布８がある部位においては、該中布８は内布６と外布７とのあいだに挟まれる状態で重ね合わされ、キルティング加工して収納袋２が形成されている。
【００１２】
また延長部５は、拡開して骨壷１の出し入れが容易になるよう対向する二箇所に上下方向を向く切り込み５ａが形成されると共に、上下方向中間部には巾着紐９を挿通するため切り込み５ａに開口５ｃを有した紐挿通部５ｂが周回り方向に縫製されている。そして紐挿通部５ｂに挿通した一対の巾着紐９を引っ張ることで延長部５が緊縛され、これによって骨壷１を収納した収納袋２は巾着状になっている。
【００１３】
筒状部４には、該筒状部４の周面の互いに対向する位置に底部３から延長部５の切り込み５ａに繋がるようにして上下方向に直線状の開口部１１が一組設けられている。そして、該開口部１１には、開口部１１を開閉するためのファスナー１２がそれぞれ設けられており、該ファスナー１２の一方又は両方を開くことで収納袋２の骨壷を入れるための開口部分が大きく拡開するようになっている。尚、本実施の形態ではファスナーとしてスライドファスナーを用いたが面ファスナーであっても勿論良い。
【００１４】
叙述のごとく構成された本考案の実施の形態において、骨壷１を収容するための収納袋２は、従来のように骨壷を収容するための木箱を不要とするものでありながら、厚手の外布を用いて形成しているため型崩れすることがなく、しかも外布は彩色模様の金襴地または錦金襴地が用いられているため高級感と重量感とが備わったものになって故人に対して礼を欠くことがなく偲ぶものになる。
【００１５】
そのうえ骨壷１が直接当たる底部３および筒状部４には断熱性がある中布８が内布６と外布７とのあいだに挟まれた状態で設けられているため、遺骨を入れた直後の骨壷１を収納袋２に収納したとしても、遺骨の熱が外布７まで伝わって熱くなり、持てなくなってしまうようなことを回避でき、速やかな持ち運びができることになる。
【００１６】
さらに筒状部４には延長部５の切り込み５ａにまで至る一組の開口部１１が形成され、該開口部１１にはファスナー１２が設けられて該開口部１１を開閉することができるため、骨壷１を収納袋２に収納する際にはファスナー１２の一方又は両方を開いて収納袋２の底部３に載置するようにして収納した後、開放したファスナー１２を閉め、巾着紐９で緊縛すればよく、骨壷の収納し易い骨壷収納袋とすることが出来る。
【００１７】
また底部３には平板状の底板１０が設けられているため、底部３に骨壷１を載置するときは勿論、収納袋２に収納された状態で骨壷１を持ち運ぶ際にも骨壷１が収納袋２の中で安定することになって、持ち運びしやすい、取扱い性の良い骨壷収納袋とすることが出来る。
【産業上の利用可能性】
【００１８】
本考案は、遺骨を納めた骨壷を収納する収納袋であって、骨壷を収納したり搬送したりするのに容易であり、かつ遺骨を保管するにふさわしい外観を備えたものとして利用することが出来る。
【符号の説明】
【００１９】
１    骨壷
２    収納袋
３    底部
４    筒状部
５    延長部
６    内布
７    外布
８    中布
９    巾着紐
１０  底板
１１  開口部
１２  ファスナー
【図１】
0003166403.tif 000003
【図２】
0003166403.tif 000004
【図３】
0003166403.tif 000005
【図４】
0003166403.tif 000006